【事件の表示】
　特願２００５−１８５８２４「警備システム」拒絶査定不服審判事件〔平成１９年　１月１１日出願公開、特開２００７−　　４６４３〕について、次のとおり審決する。
【結　論】
　本件審判の請求は、成り立たない。
【理　由】
【１】手続の経緯
　本件出願は、平成１７年６月２７日の出願であって、平成２３年１月１８日付けの拒絶理由通知に対して、同年３月２３日付けで意見書及び手続補正書が提出されたが、同年９月１３日付けで拒絶査定がなされ、これに対し、同年１２月１６日に拒絶査定に対する審判請求がなされると同時に、同日付けで手続補正書が提出されて明細書及び特許請求の範囲を補正する手続補正がなされ、その後、当審において平成２４年６月１８日付けで書面による審尋がなされ、これに対し、同年７月３０日付けで回答書が提出されたものである。
　
　
【２】平成２３年１２月１６日付けの手続補正についての補正却下の決定
　
　［補正却下の決定の結論］
　平成２３年１２月１６日付けの手続補正を却下する。
　
　
　［理　由］
１．本件補正の内容
　平成２３年１２月１６日付けの手続補正書による手続補正（以下、単に「本件補正」という。）は、特許請求の範囲の請求項１に関して、本件補正により補正される前の（すなわち、平成２３年３月２３日付けの手続補正書により補正された）特許請求の範囲の下記の（ｂ）に示す請求項１を、下記の（ａ）に示す請求項１へと補正するものである。
　
（ａ）本件補正後の特許請求の範囲の請求項１
　「【請求項１】
　警備対象施設の警備情報を送信する警備端末と、複数の該警備端末から該警備情報を取得し表示・管理するセンタ装置と、該警備端末の動作確認を行う表示確認装置とからなる警備システムおいて、
該表示確認装置が、
該センタ装置との間で該警備情報等の授受を行う通信手段と、
該警備端末が警戒状態にあるか否かの情報を含む該警備対象施設の警備上の状態を示す警備情報を
通信回線を介して
該通信手段で取得し該表示手段で表示される該警備情報
が、該警備対象施設のどの警備対象物が具体的にどのような状態にあるかの意味内容を具体的に示す情報であって、該センタ装置の監視卓上に既に表示された情報そのもの
　
（ｂ）本件補正前の特許請求の範囲の請求項１
　「【請求項１】
　警備対象施設の警備情報を送信する警備端末と、複数の該警備端末から該警備情報を取得し表示・管理するセンタ装置と、該警備端末の動作確認を行う表示確認装置とからなる警備システムおいて、
該表示確認装置が、
該センタ装置との間で該警備情報等の授受を行う通信手段と、
該警備端末が警戒状態にあるか否かの情報を含む該警備対象施設の警備上の状態を示す警備情報を該センタ装置から取得して表示する表示手段とを備え、
該通信手段で取得し該表示手段で表示される該警備情報は、該センタ装置で表示された情報であり且つ該表示確認装置から該センタ装置に要求された情報であることを特徴とする警備システム。」
　
　
２．本件補正の目的
　本件補正は、請求項１に関して、
　「警備情報を該センタ装置から取得して」を「警備情報を
通信回線を介して
　「警備情報は、該センタ装置で表示された情報であり且つ該表示確認装置から該センタ装置に要求された情報である」を「警備情報
が、該警備対象施設のどの警備対象物が具体的にどのような状態にあるかの意味内容を具体的に示す情報であって、該センタ装置の監視卓上に既に表示された情報そのもの
　請求項１に関する本件補正は、平成１８年法律第５５号改正附則第３条第１項によりなお従前の例によるとされる同法による改正前の特許法第１７条の２第４項第２号に規定する特許請求の範囲の減縮を目的とするものに該当する。
　
　
３．本件補正の適否の判断（独立特許要件）
　そこで、本件補正後の請求項１に係る発明である、
　「【請求項１】
　警備対象施設の警備情報を送信する警備端末と、複数の該警備端末から該警備情報を取得し表示・管理するセンタ装置と、該警備端末の動作確認を行う表示確認装置とからなる警備システムにおいて、
該表示確認装置が、
該センタ装置との間で該警備情報等の授受を行う通信手段と、
該警備端末が警戒状態にあるか否かの情報を含む該警備対象施設の警備上の状態を示す警備情報を
通信回線を介して
該通信手段で取得し該表示手段で表示される該警備情報
が、該警備対象施設のどの警備対象物が具体的にどのような状態にあるかの意味内容を具体的に示す情報であって、該センタ装置の監視卓上に既に表示された情報そのもの
（以下、「本件補正発明」という。なお、原文の「警備システムおいて」は「警備システム
に
　
３−１．引用文献記載の発明
（１）原査定の拒絶の理由に引用された、本件出願の出願前に頒布された刊行物である特開平１０−３２６３８４号公報（以下、「引用文献」という。）には、図面とともに次の事項が記載されている。
　
　（ア）「【請求項１】　警備領域に設置され、異常状態を検知し検知情報を外部に送信する各種センサー装置と、前記検知情報を受信する受信部を有し受信した検知情報に基づいて前記各種センサー装置を集中監視するコントローラとを具備する整備システムにおいて、
携帯可能に構成され、受信部と表示部を有する携帯型無線通信機を設け、
前記コントローラは、前記検知情報を受信すると、この検知情報を含むセンサーテスト結果信号を作成してこの信号を外部に送出する手段を有し、
前記携帯型無線通信機は、前記受信部より受信したセンサー装置の検知情報を前記表示部に表示することにより、前記センサー装置の動作状態をこの携帯型無線通信機において確認できるようにしたことを特徴とする警備システム。
【請求項２】　前記携帯型無線通信機は、更に操作部と送信部を有し、前記コントローラに対してテストモードに設定する旨のテストモード設定信号を送信し、前記コントローラは、前記テストモード設定信号を受信するとテストモードに設定され、テストモードに設定されている場合にのみ前記センサーテスト結果情報の送信を行う請求項１に記載の無線式警備システム。
【請求項３】　前記コントローラは、更にテストモードに設定するための操作部を有し、
テストモードに設定されている場合にのみ前記センサーテスト結果情報の送信を行う請求項１に記載の無線式警備システム。
【請求項４】　前記携帯型無線通信機は、更に操作部と送信部を有し、前記コントローラに対して各センサー装置毎に検知情報を送信することを要求する個別テスト要求信号を送信し、前記コントローラは、前記個別テスト要求信号を受信すると、該当するセンサー装置からの検知情報を受信した場合にのみ前記センサーテスト結果情報の送信を行う請求項１ないし３のいずれか１項に記載の無線式警備システム。」（【特許請求の範囲】の【請求項１】ないし【請求項４】）
　
　（イ）「【０００１】
【発明の属する技術分野】本発明は、警備領域の各所に設置したセンサー装置の検知情報をコントローラに送出し、コントローラにおいて警備領域を集中監視する警備システムに関するものである。」（段落【０００１】）
　
　（ウ）「【０００４】
【発明が解決しようとする課題】上記従来の警備システムにおいては、点検者は、センサー装置の位置においてセンサーを発報させた後にコントローラの表示を見る必要がある。通常、センサー装置はコントローラと離れた場所に設置されているため、点検者はセンサー装置位置とコントローラ位置を往復しなければならず非効率であった。
【０００５】本発明は、警備システムにおいて、センサー装置の動作テストを行う際に、テストをするセンサー装置が設置された位置においてセンサー装置の動作確認を行うことを可能とすることを目的とするものである。」（段落【０００４】及び【０００５】）
　
　（エ）「【０００９】
【発明の実施の形態】以下、本発明の実施形態について図を用いて説明する。図１は、警備システムの一例としての無線式警備システムの全体構成を示すブロック図である。図１において、１は、所定の警備領域に設置された侵入者センサー、火災センサーなどの各種センサーである。２は、無線式の送信機で、入力端子を介してセンサー１が接続され、センサー１が発報をすると、検知情報を外部に送出する。10は、センサー１と無線式の送信機２からなるセンサー装置である。３は無線中継機である。なお、無線中継機３は、全ての無線送信機２が後述のコントローラと直接通信可能な状態にある場合は省略できるものである。
【００１０】４は、集中監視用のコントローラであり、センサー１及び無線送信機２から送出された検知情報を受信して、警備領域内の異常の有無を監視する。５は、センサーのテスト時に使用する携帯型無線通信機であり、コントローラ４に対してテスト要求信号を送信し、コントローラ４からセンサーテスト結果信号を受信すると、センサー１の検知情報をその表示部に表示する。」（段落【０００９】及び【００１０】）
　
　（オ）「【００１１】図２は、コントローラ４の構成を示すブロック図である。４１は、ＣＰＵ４１１、ＲＡＭ４１２、ＲＯＭ４１３から構成され、コントローラ４内の各機器の制御及びモード設定を行う制御部である。４２は、制御部４１の制御により各種表示を行う表示部である。４３は、制御部４１に各種指令を入力するための操作部である。４４は、センサーテスト結果信号をアンテナ４８を介して携帯型無線通信機５に送出するための送信部である。４５は、無線送信機２からの検知情報及び、携帯型無線通信機５からのテスト要求信号を受信するための受信部である。４６は、遠隔地にある監視センターに、電話回線４９を通して、異常を通報するための通報部である。」（段落【００１１】）
　
　（カ）「【００１２】図３は、携帯型無線通信機５の構成を示すブロック図である。５１は、ＣＰＵ５１１、ＲＡＭ５１２、ＲＯＭ５１３から構成され、携帯型無線通信機５内の各機器の動作を制御する制御部である。５２は、センサーの検知情報を表示する表示部である。５３は、テンキーなどを備えた操作部であり、この操作部５３から点検者による各種指令が入力される。５４は、テスト要求信号をアンテナ５８を介してコントローラ４に送出するための送信部である。５５は、コントローラ４からのセンサーテスト結果信号を受信するための受信部である。」（段落【００１２】）
　
　（キ）「【００１３】ここで、図１〜図３に示した無線式警備システムの動作について説明する。最初に、警備モードにあるときのシステムの動作について簡単に説明する。センサー１は、異常を検知すると、動作信号を無線送信機２に出力する。無線送信機２は、センサー１から動作信号が入力されると、センサ１の動作信号と自身のアドレス信号を含む検知情報を外部に送出する。コントローラ４は、送出された検知情報を、直接、又は無線中継機３を介して受信すると、警報音などを発し、また、異常内容、異常箇所などをその表示部に表示すると共に、遠隔地にある監視センターに通報をする。」（段落【００１３】）
　
　（ク）「【００１４】次に、センサーの動作テスト時の動作について、図４のタイムチャートを用いて説明する。予め、その警備領域のレイアウト等の状況によって、各種センサー１や送信機２の配置場所が計画され、コントローラ４のＲＡＭ４１３に、センサー１のアドレス番号と対応して、センサー１の設置場所、そのセンサー１が接続されている送信機２の入力端子番号、送信機２のアドレス番号、設置場所等が記憶されている。
　・・・（中略）・・・
【００１８】点検者は、（４）（５）の処理を繰り返して、必要なセンサーについてのデータを確認する。
（６）点検者は、発報テストをするため、携帯型無線通信機５からコントローラ４に対して、テストを行おうとする個別のセンサーごとに個別テスト要求信号を送出する。
【００１９】（７）点検者は、テスト要求をしたセンサー１を発報させるため、センサー１に対して発報操作を行う。センサー１が正常であれば、センサー１は発報をし、送信機２はこの発報によりセンサー１の検知情報をコントローラ４に送出する。
（８）コントローラ４は送信機２から検知情報を受信すると、この検知情報から、センサーＮｏ、動作状態（発報／動作）を含むセンサーテスト結果信号を作成して携帯型無線通信機５に対して送出する。なお、コントローラ４は、個別テスト要求信号により指定されたセンサー１からの発報があった場合は、上述の端末テスト結果信号を送出するが、指定されていないセンサーからの検知情報は無視をする。
【００２０】携帯型無線通信機５では、表示部２において、センサーＮｏ、動作状態などが表示される。点検者は、この表示を見て、点検者が行った発報操作とセンサーの動作状態が一致しているか否かを確認して、センサー１と送信機２に異常がないことをテストすることができる。点検者は、この（６）〜（８）の処理を繰り返して、必要なセンサーの動作確認を行う。この確認は、点検者が携帯している携帯型無線通信機５により行うことができるので、従来のように、一々コントローラ４の場所に戻る必要がなくなり、テスト作業を効率的に行うことができる。
【００２１】（９）点検者は、以上説明したテスト動作を終了すると、その他の指令を携帯型無線通信機５から入力する。コントローラ４に対してこの指令が入力されると、コントローラ４では、テストモードを解除して、その他のモードに移行する。本発明においては、警備システムの一例として無線式警備システムを例示したが、センサー装置とコントローラ間が有線で接続されている有線式警備システムでも良いことは言うまでもない。このとき、センサー装置とはコントローラに信号を送出し有線で接続される端子を有する侵入者や、火災などを検出するセンサーをいう。」（段落【００１４】ないし【００２１】）
　
（２）ここで、上記（１）の（ア）ないし（ク）及び図面の記載からみて、次のことがわかる。
　
　（ケ）上記（１）の（ア）及び（エ）ないし（ク）並びに図１ないし４の記載からみて、無線式警備システムは、警備領域の検知情報を送信するセンサー装置１０、複数の該センサー装置１０から該検知情報を取得し表示・管理するコントローラ４、及び該センサー装置１０の動作確認を行う携帯型無線通信機５からなることがわかる。
　また、上記携帯型無線通信機５は、上記コントローラ４との間で検知情報等の授受を行う送信部５４、受信部５５及びアンテナ５８から成る通信手段と、センサー装置１０により検知情報を含むセンサーテスト結果信号の情報を無線を介してコントローラ４から取得して表示する表示部２とを備えていることがわかる。
　
　（コ）上記（１）の（ア）、（エ）ないし（ク）及び上記（ケ）並びに図１ないし４の記載からみて、送信部５４、受信部５５及びアンテナ５８から成る通信手段で取得し表示部２で表示される「検知情報を含むセンサーテスト結果信号」の情報は、警備領域のどのセンサー装置１０がどのような動作状態にあるかを示す情報であって、コントローラ４の表示部４２上に既に表示された検知情報に基づく異常内容、異常箇所などに関連した情報であり且つ携帯型無線通信機５からコントローラ４に個別テスト要求信号により要求された情報であることがわかる。
　
（３）上記（１）及び（２）を総合すると、引用文献には、次の発明（以下、「引用文献記載の発明」という。）が記載されているものと認められる。
　
　「警備領域の検知情報を送信するセンサー装置１０と、複数の該センサー装置１０から該検知情報を取得し表示・管理するコントローラ４と、該センサー装置１０の動作確認を行う携帯型無線通信機５とからなる無線式警備システムにおいて、
該携帯型無線通信機５が、
該コントローラ４との間で該検知情報等の授受を行う送信部５４、受信部５５及びアンテナ５８から成る通信手段と、
センサー装置１０が検知情報を含むセンサーテスト結果信号の情報を無線を介して該コントローラ４から取得して表示する表示部２とを備え、
該送信部５４、受信部５５及びアンテナ５８から成る通信手段で取得し該表示部２で表示される該検知情報を含むセンサーテスト結果信号の情報が、該警備領域のどのセンサー装置１０がどのような動作状態にあるかを示す情報であって、該コントローラ４の表示部４２上に既に表示された検知情報に基づく異常内容、異常箇所などに関連した情報であり且つ該携帯型無線通信機５から該コントローラ４に個別テスト要求信号により要求された情報である無線式警備システム。」
　
　
３−２．対比
　本件補正発明と引用文献記載の発明とを対比すると、引用文献記載の発明における「警備領域」は、その機能、形状、構造又は技術的意義からみて、本件補正発明における「警備対象施設」に相当し、以下同様に、「検知情報」は「警備情報」に、「センサー装置１０」は「警備端末」に、「コントローラ４」は「センタ装置」に、「携帯型無線通信機５」は「表示確認装置」に、「無線式警備システム」は「警備システム」に、「送信部５４、受信部５５及びアンテナ５８から成る通信手段」は「通信手段」に、「無線」は「通信回線」に、「表示部２」は「表示手段」に、「表示部４２」は「監視卓」に、「個別テスト要求信号により要求された」は「要求された」に、それぞれ相当する。
　また、引用文献記載の発明における「センサー装置１０が検知情報を含むセンサーテスト結果信号の情報を無線を介してコントローラ４から取得して表示する」は、「警備端末が警備情報を通信回線を介してセンタ装置から取得して表示する」という限りにおいて、本件補正発明における「警備端末が警戒状態にあるか否かの情報を含む警備対象施設の警備上の状態を示す警備情報を通信回線を介してセンタ装置から取得して表示する」に相当し、以下同様に、
　「表示部２で表示される検知情報を含むセンサーテスト結果信号の情報が、警備領域のどのセンサー装置１０がどのような動作状態にあるかを示す情報であって、コントローラ４の表示部４２上に既に表示された検知情報に基づく異常内容、異常箇所などに関連した情報であり」は「表示手段で表示される警備情報が、警備対象施設のどの警備対象がどのような状態にあるかを示す情報であって、センタ装置の監視卓上に既に表示された情報であり」という限りにおいて「表示手段で表示される警備情報が、警備対象施設のどの警備対象物が具体的にどのような状態にあるかの意味内容を具体的に示す情報であって、センタ装置の監視卓上に既に表示された情報そのものであり」に、相当する。
　　
　したがって、本件補正発明と引用文献記載の発明は、次の一致点及び相違点を有するものである。
　　
　＜一致点＞
　「警備対象施設の警備情報を送信する警備端末と、複数の該警備端末から該警備情報を取得し表示・管理するセンタ装置と、該警備端末の動作確認を行う表示確認装置とからなる警備システムおいて、
該表示確認装置が、
該センタ装置との間で該警備情報等の授受を行う通信手段と、
警備端末が警備情報を通信回線を介して該センタ装置から取得して表示する表示手段とを備え、
該通信手段で取得し該表示手段で表示される該警備情報が、該警備対象施設のどの警備対象がどのような状態にあるかを示す情報であって、該センタ装置の監視卓上に既に表示された情報であり且つ該表示確認装置から該センタ装置に要求された情報である警備システム。」
　
　＜相違点＞
　なお、相違点の引用文献記載の発明における記載事項中の（　）内に本件補正発明において相当する発明特定事項を示す。
　
（１）相違点１
　表示確認装置の表示手段で表示される警備情報に関し、
　本件補正発明においては、「警備端末が警戒状態にあるか否かの情報を含む警備対象施設の警備上の状態を示す警備情報を通信回線を介してセンタ装置から取得して表示」し、「警備対象施設のどの警備対象物が具体的にどのような状態にあるかの意味内容を具体的に示す情報であ」るのに対し、
　引用文献記載の発明においては、「センサー装置１０（警備端末）が検知情報を含むセンサーテスト結果信号の情報を無線（通信回線）を介してコントローラ４（センタ装置）から取得して表示」し、「警備領域（警備対象施設）のどのセンサー装置１０（警備端末）がどのような動作状態にあるかを示す情報であ」る点（以下、「相違点１」という。）。
　
（２）相違点２
　表示確認装置の表示手段で表示される警備情報がセンタ装置の監視卓に表示される情報とどのように関連しているかに関し、
　本件補正発明においては、「センタ装置の監視卓上に既に表示された情報そのものであ」るのに対し、
　引用文献記載の発明においては、「コントローラ４（センタ装置）の表示部４２（監視卓）上に既に表示された検知情報に基づく異常内容、異常箇所などに関連した情報であ」る点（以下、「相違点２」という。）。
　
　
３−３．判断
　上記各相違点について検討する。
（１）相違点１について
　（ア）表示確認装置の表示手段で表示される警備情報について、本件補正発明も引用文献記載の発明も、「警備端末が警備情報を通信回線を介して該センタ装置から取得して表示し、警備対象施設のどの警備対象がどのような状態にあるかを示す情報である」という点において共通する。
　
　（イ）また、引用文献記載の発明における、携帯型無線通信機５（表示確認装置）の表示部２（表示手段）で表示される情報は「検知情報を含むセンサーテスト結果信号の情報」である。
　この「検知情報を含むセンサーテスト結果信号」について引用文献には、「コントローラ４は送信機２から検知情報を受信すると、この検知情報から、センサーＮｏ、動作状態（発報／動作）を含むセンサーテスト結果信号を作成して携帯型無線通信機５に対して送出する。」（上記３−１．（１）（ク）段落【００１９】参照。）及び「携帯型無線通信機５では、表示部２において、センサーＮｏ、動作状態などが表示される。」（上記３−１．（１）（ク）段落【００２０】参照。）の記載からみて、センサーの動作状態が「動作」しているか否かということは、換言すれば、センサー装置１０（警備端末）が警戒状態にあるか否かの情報といえ、また、警備領域（警備対象施設）の警備上の状態を示す情報といえる。さらに、センサーは警備対象物又はその近傍に設置されるものであるから、警備領域（警備対象施設）のどの警備対象物が具体的にどのような状態にあるかの意味内容を具体的に示す情報でもあるともいえる。
　そうすると、引用文献記載の発明は、実質的に、本件補正発明における、「警備端末が警戒状態にあるか否かの情報を含む警備対象施設の警備上の状態を示す警備情報を通信回線を介してセンタ装置から取得して表示」し、「警備対象施設のどの警備対象物が具体的にどのような状態にあるかの意味内容を具体的に示す情報であ」るという発明特定事項（以下、「発明特定事項１」という。）を備えているといえる。
　
　（ウ）仮に、引用文献記載の発明が上記（イ）の発明特定事項１を備えているか否か明確でないとしても次の周知の技術がある。
　すなわち、警備システムにおいて、表示部のある端末で表示される警備情報として、「警備端末が警戒状態にあるか否かの情報を含む警備対象施設の警備上の状態を示す警備情報」及び「警備対象施設のどの警備対象物が具体的にどのような状態にあるかの意味内容を具体的に示す情報」の形態とすることは、従来周知の技術（以下、「周知技術」という。例えば、原査定において例示された特開平１０−４９７８６号公報の特に、段落【００１０】及び【００１１】並びに図１、同様に原査定において例示された特開平１１−２３８１８７号公報の特に、段落【００１３】及び【００１４】並びに図１及び２参照。）である。
　
　（エ）そうすると、引用文献記載の発明において、上記相違点１に係る本件補正発明の発明特定事項とすることは、当業者が容易に想到し得ることである。又は、引用文献記載の発明において、携帯型無線通信機５（表示確認装置）の表示部２（表示手段）で表示される情報として上記周知技術を採用し、上記相違点１に係る本件補正発明の発明特定事項とすることは、当業者が容易に想到し得ることである。
　
（２）相違点２について
　（ア）表示確認装置の表示手段で表示される警備情報がセンタ装置の監視卓上に表示される情報とどのように関連しているかについて、本件補正発明も引用文献記載の発明も、「センタ装置の監視卓上に既に表示された情報である」という点において共通する。
　
　（イ）また、本件補正発明における、表示確認装置の表示手段で表示される警備情報が「センタ装置の監視卓上に既に表示された情報
そのもの
　ここで、「センタ装置の監視卓上に既に表示された情報」である警備情報を「表示確認装置の表示手段で表示される警備情報」として通信回線を介して送信する場合、全く同じ情報として送信するのが、まず初めに想到する簡単な方法であり、送信する情報を送り先で加工したり、若しくは情報を加工して送信する方法はより高度な方法であるので、前記の全く同じ情報として送信する方法とする上記発明特定事項２の点は引用文献記載の発明において、当業者であれば容易に想到し得ることである。
　
（ウ）さらに、引用文献記載の発明における「携帯型無線通信機５（表示確認装置）の表示部２（表示手段）で表示される情報」は「検知情報を含むセンサーテスト結果信号の情報」であり、具体的には「センサーＮｏ、動作状態など」（上記３−１．（１）（ク）段落【００２０】参照。）であり、「コントローラ４（センタ装置）の表示部４２（監視卓）上に既に表示された情報」は「検知情報に基づく異常内容、異常箇所などに関連した情報」であり、両者の情報はいずれも検知情報に基づくものであって格別なる相違があるものとはいえない。
　
（エ）そうすると、引用文献記載の発明において、「携帯型無線通信機５（表示確認装置）の表示部２（表示手段）で表示される情報」と「コントローラ４（センタ装置）の表示部４２（監視卓）上に既に表示された情報」とを全く同じ情報として、上記相違点２に係る本件補正発明の発明特定事項とすることは、当業者が容易に想到し得ることである。　
　
　また、本件補正発明は、全体として検討してみても、引用文献記載の発明、又は、引用文献記載の発明及び周知技術から予測できる作用効果以上の顕著な作用効果を奏するものとも認められない。
　
　
３−４．まとめ
　したがって、本件補正発明は、引用文献記載の発明、又は、引用文献記載の発明及び周知技術に基づいて当業者が容易に想到し得たものであるから、特許法第２９条第２項の規定により、特許出願の際独立して特許を受けることができないものである。
　
　
４．むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　よって、結論のとおり決定する。
　
　
【３】本件発明について 
１．本件発明の内容 
　平成２３年１２月１６日付けの手続補正は上記のとおり却下されたので、本件出願の請求項１ないし４に係る発明は、平成２３年３月２３日付けの手続補正書により補正された明細書及び特許請求の範囲並びに出願当初の図面の記載からみて、その特許請求の範囲の請求項１ないし４に記載された事項により特定されるものと認められ、そのうち、請求項１に係る発明（以下、単に「本件発明」という。）は、前記【２】の［理　由］の１．（ｂ）に示した請求項１に記載されたとおりのものである。
　
　
２．引用文献記載の発明
　原査定の拒絶の理由に引用された引用文献の記載事項及び引用文献記載の発明は、前記【２】の［理　由］３．の３−１．の（１）ないし（３）に記載したとおりである。
　
　
３．対比・判断
　本件発明は、実質的に、前記【２】で検討した本件補正発明における発明特定事項を全て含むものである。
　そうすると、本件発明の発明特定事項を全て含む本件補正発明が、前記【２】の［理　由］３．の３−１．ないし３−４．に記載したとおり、引用文献記載の発明、又は、引用文献記載の発明及び周知技術に基づいて当業者が容易に発明をすることができたものであるから、本件発明も、同様の理由により、引用文献記載の発明、又は、引用文献記載の発明及び周知技術に基づいて当業者が容易に発明をすることができたものである。
　また、本件発明は、全体として検討してみても、引用文献記載の発明、又は、引用文献記載の発明及び周知技術から予測できる作用効果以上の顕著な作用効果を奏するものではない。
　
　
４．むすび　
　以上のとおり、本件発明は、引用文献記載の発明、又は、引用文献記載の発明及び周知技術に基づいて当業者が容易に発明をすることができたものであるから、特許法第２９条第２項の規定により特許を受けることができない。
　
　
　よって、結論のとおり審決する。